(57)【要約】      （修正有） 【課題】受け口部材を介してアルミパイプ柄に手工具主体を装着する際に、軽量性を損なわずに、手工具主体を堅牢に取り付けることができる手工具の柄構造を提供する。【解決手段】手工具主体が細板状の中子部を備え、受け口部材が縦二分割構造の樹脂製の２個の受け口体３ａ，３ｂで構成され、受け口体の先部対向面に中子部と対応する溝用凹部３１を形成すると共に、装着用透孔に対応するビス用透孔３２を形成し、受け口部材の基部３７をアルミパイプ柄１に密挿入し、リベット３９で鋲結固定し、装着すべき手工具主体の中子部を、溝用凹部３１で形成される挿入溝に差し入れ、装着用透孔及びビス用透孔を貫通するビス体４とナット体５で手工具主体を装着固定する。【選択図】図２
0003176301.tif 000002
【実用新案登録請求の範囲】
【請求項１】
アルミパイプ柄に、所定の受け口部材を介して各種の手工具主体を装着する手工具の柄構造であって、手工具主体が細板状の中子部を備えると共に、前記中子部の適宜位置に装着用透孔を設けてなり、受け口部材が、アルミパイプ柄の軸方向で縦二分割構造の樹脂製の２個の受け口体で構成され、受け口体の先部対向面に前記中子部と対応する溝用凹部を形成すると共に、装着用透孔に対応するビス用透孔を形成し、前記受け口部材の基部を前記アルミパイプ柄に密挿入し、アルミパイプ柄と前記基部を貫通するリベットで鋲結固定し、装着すべき手工具主体の中子部を、溝用凹部で形成される挿入溝に差し入れ、装着用透孔及びビス用透孔を貫通するビス体と、前記ビス体に螺合するナット体で手工具主体を装着固定してなることを特徴とする手工具の柄構造。
【請求項２】
一方の受け口体の溝用凹部の両側縁に中子部が嵌合される壁部を設け、他方の受け口体の溝用凹部の両側縁に、前記壁部が嵌合する凹溝部を設けてなる請求項１記載の手工具の柄構造。
【請求項３】
一方の受け口体のビス用透孔の外周面をナット体に対応する角穴に形成してなる請求項１又は２記載の手工具の柄構造。
【考案の詳細な説明】
【技術分野】
【０００１】
本考案は、アルミパイプ柄を採用する手工具の柄構造に関するものである。
【背景技術】
【０００２】
種々の手工具には、木製柄に変えて軽量で且つ堅牢なアルミパイプ柄を採用している。木製柄の場合には、柄の木口に挿入溝を形成し、手工具主体（鍬刃体、鉈刃体、掻き板等）の中子部分を同溝に挿入し、柄を左右貫通する釘体等を圧入し固定しているものである。この木製柄は木棒の削り出しで形成するため製造が煩瑣であり、近年アルミパイプ柄が採用されている。
【０００３】
アルミパイプ柄を採用している手工具における手工具主体の装着構造としては、特許文献１（特開平９−２０１１０１号公報）に、アルミパイプ先端を扁平とし、鍬体（手工具主体）の連結板（鍬体から柄方向に突出する板）を前記扁平先端に挿入し、ボルト・ナットを用いて固定連結している構造が開示されている。
【０００４】
また特許文献２（特開２００９−２７９７４３号公報）には、パイプ柄の先端内周面にネジを刻設していると共に、釘抜き体（手工具主体）の基部に前記ネジに螺合するネジ棒部を設けた構造が開示されており、更に特許文献３（実用新案登録第３１１２１２９号公報）には、中子装着孔を穿設し且つ下方に切り込みを設けた支持体（受け口体）と支持体を圧入する締め付け筒を備え、手工具主体の中子を前記支持体に挿着し、更に締め付け筒を装着することで、支持体の切り込み箇所を押圧して手工具主体を保持し、締め付け筒をパイプ柄に装着する構造が開示されている。
【先行技術文献】
【特許文献】
【０００５】
【特許文献１】特開平９−２０１１０１号公報。
【特許文献２】特開２００９−２７９７４３号公報。
【特許文献３】実用新案登録第３１１２１２９号公報。
【考案の概要】
【考案が解決しようとする課題】
【０００６】
前記したアルミパイプ柄を採用している手工具の柄構造は、手工具主体を変更するための着脱操作の容易性、堅牢性、製造容易性の点で課題を有している。例えば単に扁平のパイプに直接手工具主体の中子を装着する手段（特許文献１）では、パイプ先端の一部が開口状態となり、パイプ内に異物が侵入しやすく、手工具主体の取り付けに２本のボルトを使用する必要があり、手工具主体の着脱が煩雑である。
【０００７】
また手工具主体を螺合装着する手段（特許文献２）では、装着対象とする手工具主体に螺棒形状の中子を採用する必要があり、その製造が煩瑣である。更に中子を挿入挟持する装着手段（特許文献３）では、手工具主体を強く引くと引き抜けてしまう恐れがある。
【０００８】
そこで本考案は、手工具主体の着脱操作を容易とし、且つ堅牢性及び製造容易性の点で優れた新規な手工具の柄構造を提案したものである。
【課題を解決するための手段】
【０００９】
本考案に係る手工具の柄構造は、アルミパイプ柄に、所定の受け口部材を介して各種の手工具主体を装着する手工具の柄構造であって、手工具主体が細板状の中子部を備えると共に、前記中子部の適宜位置に装着用透孔を設けてなり、受け口部材が、アルミパイプ柄の軸方向で縦二分割構造の樹脂製の２個の受け口体で構成され、受け口体の先部対向面に前記中子部と対応する溝用凹部を形成すると共に、装着用透孔に対応するビス用透孔を形成し、前記受け口部材の基部を前記アルミパイプ柄に密挿入し、アルミパイプ柄と前記基部を貫通するリベットで鋲結固定し、装着すべき手工具主体の中子部を、溝用凹部で形成される挿入溝に差し入れ、装着用透孔及びビス用透孔を貫通するビス体と、前記ビス体に螺合するナット体で手工具主体を装着固定してなることを特徴とするものである。
【００１０】
而して受け口部材は、２個の受け口体を向かい合わせで一体となり、その基部がアルミパイプ柄に固着されており、手工具主体の中子部を受け口部材の先端面に開口した挿入溝に差し入れ、ビス用透孔からビス体を挿入しナット体を緊締螺合することでアルミパイプ柄に手工具主体が装着され、手工具として使用できる状態となる。
【００１１】
従って予め共通した中子部を備えた各種手工具主体を準備しておくと、所望の手工具主体を選択して装着することができ、また受け口体を樹脂で形成することで、アルミパイプ柄の手工具が軽量であるという操作の容易性を損なうことがない。
【００１２】
また本考案（請求項２）に係る手工具の柄構造は、一方の受け口体の溝用凹部の両側縁に中子部が嵌合される壁部を設け、他方の受け口体の溝用凹部の両側縁に、前記壁部が嵌合する凹溝部を設けてなるもので、挿入された手工具主体の中子部が壁部間に嵌合するので装着時のガタツキが無く、また２個の受け口体を向かい合わせて一体とする際に、壁部が凹溝部に嵌合することで、相互の位置ずれが生じなく、堅牢に一体化される。
【考案の効果】
【００１３】
本考案の構成は上記のとおりで、受け口部材を樹脂製受け口体２個の組み合わせで形成して、アルミパイプ柄に装着するもので、前記受け口体は型成形で容易に製造でき、且つ軽量化を損なうことが無く、作用形状の相違する工具主体の中子部形状を共通にしておくと、手工具主体を選択して装着することができるものである。
【図面の簡単な説明】
【００１４】
【図１】本考案の実施形態の全体斜視図。
【図２】同受け口部材のアルミパイプ柄への装着説明図。
【図３】同受け口体の表面図。
【図４】同受け口体の対向面を示す説明図。
【図５】同受け口体と中子部の嵌合状態の説明図。
【図６】同種工具主体の説明図。
【考案を実施するための形態】
【００１５】
次に本考案の実施形態について説明する。実施形態に示した手工具は、アルミパイプ柄１と、手工具主体２ａ，２ｂ・・・と、受け口部材３と、手工具主体２ａ，２ｂ・・・を受け口部材３に固着するビス体４及びナット体５で構成されるもので、アルミパイプ柄１は、採用される手工具の種類（切断工具、かき取り工具、草取り工具等）及びその工具の使用対象によって適宜なパイプ厚及び長さを定められる。
【００１６】
例えば図６に示すように手工具主体２ａ，２ｂは、各種の主体部２１ａ，２１ｂと、中子部２２で構成されており、手工具主体２ａは、その主体部２１ａが鎌刃を備え、手工具主体２ｂの主体部２１ｂは、根切り刃と蔓切刃を備える等、所望形状（所望機能）を備えたものである。
【００１７】
主体部２１ａ，２１ｂが異なった形状でも、中子部２２は共通する形状としているものである。中子部２２は細板状であり、適宜位置（略中間位置）に装着用透孔２３を設けているものである。
【００１８】
受け口部材３は、全体がアルミパイプ柄１の先端に連続する略棒状で、アルミパイプ柄１の軸方向で縦二分割構造の樹脂製の２個の受け口体３ａ，３ｂで構成され、受け口体３ａ，３ｂの対向面には、受け口体３ａ，３ｂを合わせた際に、中子部２２が収まる大きさの溝用凹部３１を形成してなる。
【００１９】
また前記溝用凹部３１に、装着用透孔２３に対応するビス用透孔３２を設け、各ビス用透孔３２の一方の表面側には、ビス頭部４１が埋没する円穴３３を形成し、他方の表面側にはナット体５に対応する角穴３４に形成してなる。
【００２０】
更に前記の溝用凹部３１の形成に合わせて、一方の受け口体３ａの溝用凹部３１の両側縁に、中子部２２が嵌合される壁部３５を設け、他方の受け口体３ｂの溝用凹部３１の両側縁には、前記壁部３５が嵌合する凹溝部３６を設けてなる。
【００２１】
前記受け口体３ａ，３ｂを合わせて受け口部材３とし、アルミパイプ柄１の先端に装着するもので、そのために受け口体３ａ，３ｂの基部３７は、アルミパイプ柄１に密挿入できる大きさに形成し、固着用に前記基部３７に貫通孔３８を設けてなる。
【００２２】
特に２個の受け口体３ａ，３ｂを向かい合わせて一体とする際に、壁部３５が凹溝部３６に嵌合することで、相互の位置ずれが生ずることなく一体化状態となり、そのままアルミパイプ柄１の先端開口部分に基部３７を密挿入し、貫通孔３８を貫通するリベット３９でアルミパイプ柄１に連結固定するものである。
【００２３】
而して前記のとおり受け口部材３がアルミパイプ柄１の先端に連結固定した状態とし、所望の手工具主体２ａ，２ｂ・・・から一つを選択して、受け口部材に装着するもので、手工具主体２ａ，２ｂ・・・の中子部２２を受け口部材３の先端面に開口した溝用凹部３１の開口端（挿入溝）から差し入れ、ビス用透孔３２にビス体４を挿入し、角穴３４内に配置したナット体５と緊締螺合すると、アルミパイプ柄１の先端に受け口部材３を介して手工具主体２ａ，２ｂ・・・が確りと装着され、手工具として使用できる状態となる。
【００２４】
従って同一形状の中子部２２を備えた各種手工具主体２ａ，２ｂ・・・を準備しておくと、所望の手工具主体を選択して装着することができ、而も手工具全体は軽量となっているものである。
【符号の説明】
【００２５】
１      アルミパイプ柄
２ａ，２ｂ手工具主体
２１ａ，２１ｂ    主体部
２２    中子部
２３    装着用透孔
３      受け口部材
３ａ，３ｂ    受け口体
３１    溝用凹部
３２    ビス用透孔
３３    円穴
３４    角穴
３５    壁部
３６    凹溝部
３７    基部
３８    貫通孔
３９    リベット
４      ビス体
４１    頭部
５      ナット体
【図１】
0003176301.tif 000003
【図２】
0003176301.tif 000004
【図３】
0003176301.tif 000005
【図４】
0003176301.tif 000006
【図５】
0003176301.tif 000007
【図６】
0003176301.tif 000008